(57)【要約】【課題】従来の格納式物干しの構造は、格納時にスペースを取りすぎたり、組み立て及び格納に時間がかかる構造であり、また従来のタオル掛けはタオルを掛ける際に多少手間がかかる構造になっており、布団乾燥器は片面ずつ乾燥しなければならなかった。【解決手段】半円形状の針金を互い違いに百足状に取り付けたことで、物干し竿を中心に垂れ下がった布団の両裾の間に空間を作り出すことができ、この物干しの外周を断熱素材のカバーで覆い、布団乾燥機の熱風を送り込むことで、２枚の布団の両面を同時に乾燥できる。またタオル掛けの中心を支持する構造により、タオルを端からスライドさせて容易に掛けることができる。さらに立体構造の伸縮アーム一本で、フレームの中心を縦方向に連結することにより一対のフレームは常に平行に保たれると同時に、どの間隔に置いても安定が保たれ、組み立て及び格納が容易にできるようになり、格納時のスペースも小さくなる。【選択図】図１
2007185345.tif 000002
【特許請求の範囲】
【請求項１】
室内物干し乾燥器と布団乾燥機の機能を有し、並行に並べた2本の物干し竿各々に、水平かつ直角方向に突起状の針金を互い違いに百足状に取り付け、これに布団をかけたとき、物干し竿を中心に垂れ下がった布団の両裾の間に空間を作り、布団2枚の裏と表を同時に乾燥できる構造を特徴とする格納式物干し。
【請求項２】
前記格納式物干しには、５本のパイプを平行に並べ、片端を角パイプで固定したタオルかけが設けられており、タオル掛けの片端を回転式支持具で支持し、もう一方の片端は、固定せずに中心を一点で支持する構造により、タオルの掛けはずしが容易にできることを特徴とするタオル掛けを合わせ持つ、請求項１記載の格納式物干し。
【請求項３】
前記格納式物干しは、立体構造の伸縮アームと一対のフレームと車輪を有し、フレームの中心を伸縮アーム一本で縦方向に連結することにより、組み立て及び格納時に伸縮アームが伸縮し、一対のフレームは常に平行に保たれると同時に、どの間隔に置いても安定が保たれ、さらに物干し竿の片端と、タオル掛けの中心支持部を一動作で脱着可能な構造とし、フレームから、ほぼ真下に垂れ下げることにより、容易に組み立て格納ができ、格納時のスペースが小さくなることを特徴とする請求項１記載の格納式物干し。
【発明の詳細な説明】
【技術分野】
【０００１】
この発明は、格納式物干しの構造及び操作に関する。
【背景技術】
【０００２】
従来の格納式物干しの構造は、格納時にスペースを取りすぎたり、組み立て及び格納に時間がかかる構造であり、また従来のタオル掛けはタオルを掛ける際に多少手間がかかる構造になっており、布団乾燥器は片面ずつ乾燥しなければならなかった。
【発明の開示】
【発明が解決しようとする課題】
【０００３】
以上の技術によれば、格納状態でスペースを取りすぎたり、組み立て及び格納に時間がかり、布団も片面ずつ乾燥しなければならなかった。
そこで、この発明は、干せる布団又は洗濯物の量の割合に対して物干しの収納時のスペースがとても小さくなり、かつ組み立て格納にかかる手間も時間もとても少なくなる。
またタオルを掛ける動作も以前より容易にできるようになり、さらに布団2枚の裏と表を同時に乾燥させることができる。
【課題を解決するための手段】
【０００４】
以上の課題を解決するために、第一発明は、一対のフレームの一方のフレーム上端に物干し竿の片端をフレームを中心に直角方向に回転できる回転式支持具で取り付け、竿のもう片端は取り外し可能な構造で取り付け、それを並行に並べた2本の物干し竿各々に、水平かつ直角方向に半円形状の針金を互い違いに百足状に取り付けたこと特徴とする物干し。この百足状の物干しに、布団の中心から折り曲げて掛けると、百足状に半円形状に突出した針金が、竿を中心に垂れ下がった布団の両裾の間に空間を作り出すことを特徴とする物干し。この物干しの外周を断熱素材のカバーで覆い、布団乾燥機の熱風を送り込むことにより、布団の両面を同時に乾燥できる。
第二発明は、５本のパイプを平行に並べ、片端を角パイプで固定したタオル掛けをもう一方のフレーム上端にフレームを中心に直角方向に回転できる回転式支持具で取り付け、タオル掛けのもう一方の片端は、固定せずに中心を一点で支持することを特徴とするタオル掛け。５本のパイプの片端は固定されていない為、タオルを端からスライドさせて容易に掛けることができる。この時支持されるセンターパイプには、他の4本分のパイプ及びタオルの荷重がかかる為、他の4本よりパイプの直径を太くする。
第三発明は、一対のフレーム間を、金属板の間に金属の角パイプを挟み込んだ、立体構造の伸縮アーム一本で、フレームの中心を縦方向に連結する。伸縮アームの下端は、下端部を中心に縦方向に回転できる構造で取り付け、上端は上下にスライドできる構造で取り付ける。アームには横方向に厚みがある為、片フレームを４点で支持すことになる。これにより一対のフレームは常に平行に保たれると同時に、どの間隔に置いても安定が保たれ、フレーム下端部に設けた車輪により、フレーム間の伸縮がとてもスムーズに行われ、組み立て及び格納が容易にできるようになる。また、物干し竿の片端と、タオル掛けの中心支持部を一動作で脱着可能にし、フレームから、ほぼ真下に垂れ下げることにより格納時のスペースが小さくなる。
【発明の効果】
【０００５】
第一発明によれば、半円形状の針金を互い違いに百足状に取り付けたことにより、竿を中心に垂れ下がった布団の両裾の間に空間を作り出すことができ、この物干しの外周を断熱素材のカバーで覆い、布団乾燥機の熱風を送り込むことにより、２枚の布団の両面を同時に乾燥できる。
第二発明によれば、タオル掛けの中心を支持する構造により、タオルを端からスライドさせて容易に掛けることができる。
第三発明によれば、立体構造の伸縮アーム一本で、フレームの中心を縦方向に連結することにより一対のフレームは常に平行に保たれると同時に、どの間隔に置いても安定が保たれ、組み立て及び格納が容易にできるようになり、格納時のスペースも小さくなる。
【発明を実施するための最良の形態】
【０００６】
この発明の実施形態一を、図１に示す。
格納式物干しの材質は、車輪以外は全てステンレス製であり、フロントフレーム１の上端とリヤフレーム２の上端に並行に並べた２本の物干し竿３各々に、突起状の針金４を百足状に取り付ける。この物干し竿３に布団６を掛けると両裾の間に隙間ができる。この物干しの外周を断熱カバー５で覆い、布団乾燥機７の熱風を送り込む。
この発明の実施形態二を、図２に示す。
フロントフレーム１の上端にタオル掛け１１の片端を回転支持具８で支持したまま水平にし、さらにそのタオル掛け１１の中心一点を支持棒具９で支持する。この時支持されるセンターパイプ１０には、他の4本分のパイプ及びタオルの荷重がかかる為、他の4本よりパイプの直径を太くする。
この発明の実施形態三を、図２と図３に示す。
フロントフレーム１とリヤフレーム２の下端部に車輪１６を取付け、フロントフレーム１とリヤフレーム２各々の中心を、縦方向にガイドレール１５で固定し、そのガイドレール１５に、角パイプ１３をステンレス板１４で両サイドから挟んだ立体構造の伸縮アーム１２を取付ける。
【０００７】
「実施形態一の効果」
物干し竿に布団をかけたとき、物干し竿を中心に垂れ下がった布団の両裾の間に空間を作り出すことができ、この物干しの外周を断熱素材のカバーで覆い、布団乾燥機の熱風を送り込むことにより、２枚の布団の両面を同時に乾燥できる。
「実施形態二の効果」
タオル掛けの中心を支持する構造により、タオルを端からスライドさせて容易に掛けることができる。
「実施形態三の効果」
立体構造の伸縮アームと車輪により、一対のフレームは常に平行に保たれると同時に、どの間隔に置いても安定が保たれ、組み立て及び格納が容易にできるようになり、格納時のスペースも小さくなる。
【０００８】
「他の実施形態」
図１の実施形態では、物干し竿に突起状の針金４が百足状に取付けられていたが、この間隔を洗濯物が乾きやすい間隔にすると、突起状の針金４にハンガー１７をかけたとき、ハンガーとハンガーの間隔を最適に保ち効率よく干すことができる。
【図面の簡単な説明】
【０００９】
【図１】この発明の実施形態一を示す斜視図と一部分の側面図と上面図である。
【図２】この発明の実施形態二を示す斜視図である。
【図３】この発明の実施形態三を示す一部分の3面図と側面図である。
【符号の説明】
【００１０】
１  フロントフレーム    ２  リヤフレーム    ３  物干し竿    ４  突起状の針金
５  断熱カバー          ６  布団          ７  布団乾燥器    ８  回転支持具
９  支持棒具    １０  センターパイプ    １１  タオル掛け    １２  伸縮アーム
１３  各パイプ    １４  ステンレス板    １５ガイドレール    １６  車輪
１７  ハンガー
【図１】
2007185345.tif 000003
【図２】
2007185345.tif 000004
【図３】
2007185345.tif 000005